(57)【要約】  本発明はキャニスタ、吸引器およびこれを含む組織拡張装置に関し、本発明の一側面によると、流入口および排出口を有するハウジング；ハウジング内に配置され、流入口を通じて流入する空気を吸引するためのポンプ；流入口およびポンプの流入ポートを連結する第１流動ライン；ポンプの排出ポートおよび外部の大気を連結する第２流動ライン；ハウジング内に配置され、第１流動ラインと連結された第１ポートおよび第２流動ラインと連結された第２ポートを有する調節バルブ；ハウジング内に配置され、ポンプに電源を供給するためのバッテリー；およびポンプおよび調節バルブをそれぞれ制御するための制御部を含む吸引器が提供される。
2021510561.tif 000002
【特許請求の範囲】
【請求項１】
流入口および排出口を有するハウジング；
ハウジング内に配置され、流入口を通じて流入する空気を吸引するためのポンプ；
流入口およびポンプの流入ポートを連結する第１流動ライン；
ポンプの排出ポートおよび外部の大気を連結する第２流動ライン；
ハウジング内に配置され、第１流動ラインと連結された第１ポートおよび第２流動ラインと連結された第２ポートを有する調節バルブ；
ハウジング内に配置され、ポンプに電源を供給するためのバッテリー；および
ポンプおよび調節バルブをそれぞれ制御するための制御部を含む、吸引器。
【請求項２】
ポンプに装着され、第１流動ラインの少なくとも一部を形成し、ポンプの流入ポートと連結される流入流路および第２流動ラインの少なくとも一部を形成し、ポンプの排出ポートと連結される流出流路を有するエア分配部材をさらに含む、請求項１に記載の吸引器。
【請求項３】
調節バルブは第１ポートが流入流路と連結され、第２ポートが流出流路と連結されるようにエア分配部材に装着される、請求項２に記載の吸引器。
【請求項４】
ポンプが作動し、調節バルブが閉鎖されると、流入口を通じてエア分配部材の流入流路に沿って空気がポンプ側に吸引され、流出流路に沿って空気が外部に排出される、請求項３に記載の吸引器。
【請求項５】
ポンプが停止し、調節バルブが開放されると、外部の空気が流出流路に沿って調節バルブの第２ポートに流入し、第１ポートを通過した後流入流路に沿って流入口側に移動可能な、請求項４に記載の吸引器。
【請求項６】
エア分配部材の流入流路には流動ホールが設けられ、
前記流動ホールにはポンプの流入ポート側に向かう方向の流動のみを許容するためのチェックバルブが設けられた、請求項２に記載の吸引器。
【請求項７】
チェックバルブはポンプが作動すると、流入流路をポンプの流入ポート側に開放させ、ポンプが作動しないと、流入流路を閉鎖する、請求項６に記載の吸引器。
【請求項８】
チェックバルブは、流動ホールに挿入されたシャフト；
シャフトに装着され、流動ホールに接触するシーリング部材；および
ポンプが作動し、シャフトがポンプ側に移動すると圧縮されるように設けられた弾性部材を含み、
シャフトがポンプ側に移動するとシーリング部材は流動ホールから離脱する、請求項６に記載の吸引器。
【請求項９】
エア分配部材の流出流路とハウジングの排出口を連結し、第２流動ラインの少なくとも一部を形成する排出配管をさらに含む、請求項１に記載の吸引器。
【請求項１０】
ハウジング内に配置され、流入口とエア分配部材の流入流路を連結する流動路を有し、流入口を通じて吸引される空気の圧力を測定するための陰圧感知部をさらに含む、請求項１に記載の吸引器。
【請求項１１】
組織拡張用ドーム；および
ドームに分離可能に装着される吸引器を含み、
ドームは着用者の身体の一部の領域を覆う収容部、収容部と流体移動可能に連結された吸引ポート、および吸引ポートを囲む装着部を有するキャップ；および
着用者の身体に接触するようにキャップの縁に沿って設けられた接触部を含み、
吸引器は吸引ポートと連結される流入口および排出口を有し、前記装着部に収容されるハウジング；
ハウジング内に配置され、流入口を通じて流入する空気を吸引するためのポンプ；
流入口およびポンプの流入ポートを連結する第１流動ライン；
ポンプの排出ポートおよび外部の大気を連結する第２流動ライン；
ハウジング内に配置され、第１流動ラインと連結された第１ポートおよび第２流動ラインと連結された第２ポートを有する調節バルブ；
ハウジング内に配置され、ポンプに電源を供給するためのバッテリー；および
ポンプおよび調節バルブをそれぞれ制御するための制御部を含む、組織拡張装置。
【請求項１２】
キャップの装着部側およびハウジング内には一つ以上の磁石がそれぞれ配置された、請求項１１に記載の組織拡張装置。
【請求項１３】
ハウジングの流入口側に装着されるキャニスタをさらに含み、
キャニスタは、ドームの内部と連結される吸入口、流入口と連結される吐出口および吸入口と吐出口を連結する流路を有し、
流路は空気が吸入口の中心軸方向と平行に流動するように設けられた複数個の第１区間および隣接する２つの第１区間を連結し、空気が吸入口の中心軸を基準として半径方向に流動するように設けられた第２区間を含む、請求項１１に記載の組織拡張装置。
【請求項１４】
第２区間は空気が吸入口の中心軸を基準として所定の回転方向に流動するように設けられた、請求項１３に記載の組織拡張装置。
【請求項１５】
吸入口と吐出口は同軸上に位置するように設けられた、請求項１４に記載の組織拡張装置。
【請求項１６】
キャニスタは、
吸入口を形成し弾性材質で形成された吸入部材；
吸入部材が装着される下部ケース；
吐出口を有し、下部ケースに装着されて所定の流動空間を形成する上部ケース；
前記流動空間に配置され、流動空間を複数個の第１区間および第２区間に区画するように設けられたパーテーション部材；および
パーテーション部材および上部ケースの間に配置されるフィルタを含む、請求項１３に記載の組織拡張装置。
【請求項１７】
下部ケースは上部ケースと向き合う第１面に、リング状で互いに異なる直径を有し、同心で配列された複数個の第１流動ガイドを有し、
上部ケースは上部ケースと向き合う第１面に、隣接する２つの第１流動ガイドの間に位置する第２流動ガイドを有し、
第１流動ガイドは上部ケースと接触しない高さを有し、第２流動ガイドは下部ケースと接触しない高さを有する、請求項１６に記載の組織拡張装置。
【請求項１８】
第１流動ガイドと第２流動ガイドの間の空間は第１区間を形成し、
第２流動ガイドと下部ケースの第１面の間の空間は第２区間を形成する、請求項１７に記載の組織拡張装置。
【請求項１９】
上部ケースは第１面の反対方向の第２面にフィルタを支持する複数個のスペーサーが設けられた、請求項１７に記載の組織拡張装置。
【請求項２０】
上部ケースの第２面とフィルタの間の空間は吐出口と連結された、請求項１７に記載の組織拡張装置。
【発明の詳細な説明】
【技術分野】
【０００１】
本発明は組織拡張用ドーム、キャニスタ、吸引器、およびこれを含む組織拡張装置、これを利用した胸の体積測定方法に関する。
【背景技術】
【０００２】
先天的奇形および後天的外傷に対して外科的手術を通じて本来の機能を回復させたり正常な外形を有するようにする整形外科分野は、最近では一般的な美容整形に発展している。
【０００３】
特に、最近一般的な美容整形において、整形分野は顔面整形以外に胸拡大／縮小、脂肪吸引、陰茎拡大などの分野に拡張している。
【０００４】
特に、胸拡大および陰茎拡大整形などはシリコンなどの補形物を挿入する外科的手術がなされている。しかし、シリコンなどの補形物が起こす各種の副作用に対する事例が報告されている。
【０００５】
そこで、外科的浸湿手術以外の方法で女性の胸を拡大できる器具および方法が提案されている。
【発明の概要】
【発明が解決しようとする課題】
【０００６】
本発明は組織拡張用ドーム、キャニスタ、吸引器、これを含む組織拡張装置およびこれを利用した胸の体積測定方法を提供することを解決しようとする課題とする。
【課題を解決するための手段】
【０００７】
前記した課題を解決するために、本発明の一側面によると、流入口および排出口を有するハウジング、ハウジング内に配置され、流入口を通じて流入する空気を吸引するためのポンプ、流入口およびポンプの流入ポートを連結する第１流動ライン、ポンプの排出ポートおよび外部の大気を連結する第２流動ライン、ハウジング内に配置され、第１流動ラインと連結された第１ポートおよび第２流動ラインと連結された第２ポートを有する調節バルブ、ハウジング内に配置され、ポンプに電源を供給するためのバッテリー、およびポンプおよび調節バルブをそれぞれ制御するための制御部を含む吸引器が提供される。
【０００８】
また、吸引器はポンプに装着され、第１流動ラインの少なくとも一部を形成し、ポンプの流入ポートと連結される流入流路および第２流動ラインの少なくとも一部を形成し、ポンプの排出ポートと連結される流出流路を有するエア分配部材をさらに含むことができる。
【０００９】
また、調節バルブは第１ポートが流入流路と連結され、第２ポートが流出流路と連結されるようにエア分配部材に装着され得る。
【００１０】
また、ポンプが作動し、調節バルブが閉鎖されると、流入口を通じてエア分配部材の流入流路に沿って空気がポンプ側に吸引され、流出流路に沿って空気が外部に排出され得る。
【００１１】
また、ポンプが停止し、調節バルブが開放されると、外部の空気が流出流路に沿って調節バルブの第２ポートに流入し、第１ポートを通過した後流入流路に沿って流入口側に移動可能となる。
【００１２】
また、エア分配部材の流入流路には流動ホールが設けられ、前記流動ホールにはポンプの流入ポート側に向かう方向の流動のみを許容するためのチェックバルブが設けられ得る。
【００１３】
また、チェックバルブはポンプが作動すると、流入流路をポンプの流入ポート側に開放させ、ポンプが作動しないと、流入流路を閉鎖することができる。
【００１４】
また、チェックバルブは、流動ホールに挿入されたシャフト、シャフトに装着され、流動ホールに接触するシーリング部材、および、ポンプが作動し、シャフトがポンプ側に移動すると圧縮されるように設けられた弾性部材を含むことができる。
【００１５】
また、シャフトがポンプ側に移動するとシーリング部材は流動ホールから離脱され得る。
【００１６】
また、吸引器はエア分配部材の流出流路とハウジングの排出口を連結し、第２流動ラインの少なくとも一部を形成する排出配管をさらに含むことができる。
【００１７】
また、吸引器はハウジング内に配置され、流入口とエア分配部材の流入流路を連結する流動路を有し、流入口を通じて吸引される空気の圧力を測定するための陰圧感知部をさらに含むことができる。
【００１８】
また、吸引器はハウジングの流入口側に装着されるキャニスタをさらに含むことができる。
【００１９】
また、本発明のさらに他の側面によると、組織拡張用ドーム、およびドームに分離可能に装着される吸引器を含む組織拡張装置が提供される。
【００２０】
ここで、ドームは着用者の身体の一部の領域を覆う収容部、収容部と流体移動可能に連結された吸引ポート、および吸引ポートを囲む装着部を有するキャップ、および着用者の身体に接触するようにキャップの縁に沿って設けられた接触部を含む。
【００２１】
また、吸引器は吸引ポートと連結される流入口および排出口を有し、前記装着部に収容されるハウジング、ハウジング内に配置され、流入口を通じて流入する空気を吸引するためのポンプ、流入口およびポンプの流入ポートを連結する第１流動ライン、ポンプの排出ポートおよび外部の大気を連結する第２流動ライン、ハウジング内に配置され、第１流動ラインと連結された第１ポートおよび第２流動ラインと連結された第２ポートを有する調節バルブ、ハウジング内に配置され、ポンプに電源を供給するためのバッテリー、およびポンプおよび調節バルブをそれぞれ制御するための制御部を含む。
【００２２】
また、キャップの装着部側およびハウジング内には一つ以上の磁石がそれぞれ配置され得る。
【００２３】
また、組織拡張装置はハウジングの流入口側に装着されるキャニスタをさらに含むことができる。
【００２４】
また、キャニスタは、ドームの内部と連結される吸入口、流入口と連結される吐出口および吸入口と吐出口を連結する流路を有することができる。
【００２５】
この時、流路は空気が吸入口の中心軸方向と平行に流動するように設けられた複数個の第１区間および隣接する２つの第１区間を連結し、空気が吸入口の中心軸を基準として半径方向に流動するように設けられた第２区間を含むことができる。
【００２６】
また、本発明のさらに他の側面によると、着用者の身体組織を収容するドーム、およびドームに装着され、ドームの内部に陰圧を発生させるための吸引器を含む組織拡張装置が提供される。ここで、吸引器はドームの内部と連結される流入口および排出口を有するハウジング、ハウジング内に配置されて流入口を通じてドームの内部空気を吸引するためのポンプおよびハウジングの流入口側に装着されるキャニスタを含む。また、キャニスタは、ドームの内部と連結される吸入口、流入口と連結される吐出口および吸入口と吐出口を連結する流路を有し、流路は空気が吸入口の中心軸方向と平行に流動するように設けられた複数個の第１区間および隣接する２つの第１区間を連結し、空気が吸入口の中心軸を基準として半径方向に流動するように設けられた第２区間を含む。
【００２７】
また、第２区間は空気が吸入口の中心軸を基準として所定の回転方向に流動するように設けられ得る。
【００２８】
また、吸入口と吐出口は同軸上に位置するように設けられ得る。
【００２９】
また、前記キャニスタは、吸入口を形成し弾性材質で形成された吸入部材、吸入部材が装着される下部ケース、吐出口を有し、下部ケースに装着されて所定の流動空間を形成する上部ケース、前記流動空間に配置され、流動空間を複数個の第１区間および第２区間に区画するように設けられたパーテーション部材、およびパーテーション部材および上部ケースの間に配置されるフィルタを含むことができる。
【００３０】
また、下部ケースは上部ケースと向き合う第１面に、リング状で互いに異なる直径を有し、同心で配列された複数個の第１流動ガイドを有することができる。
【００３１】
また、上部ケースは上部ケースと向き合う第１面に、隣接する２つの第１流動ガイドの間に位置する第２流動ガイドを有することができる。
【００３２】
また、第１流動ガイドは上部ケースと接触しない高さを有し、第２流動ガイドは下部ケースと接触しない高さを有することができる。
【００３３】
また、第１流動ガイドと第２流動ガイドの間の空間は第１区間を形成し、第２流動ガイドと下部ケースの第１面の間の空間は第２区間を形成することができる。
【００３４】
また、上部ケースには第１面の反対方向の第２面にフィルタを支持する複数個のスペーサーが設けられ得る。
【００３５】
また、上部ケースの第２面とフィルタの間の空間は吐出口と連結され得る。
【００３６】
また、前記流動空間には高吸収性樹脂粒子が配置され得る。
【００３７】
また、キャニスタは上部ケースの吐出口側に装着され、ハウジングの流入口側に接触するシーリング部材を含むことができる。
【００３８】
また、本発明のさらに他の側面によると、流入口および排出口を有するハウジング、ハウジング内に配置され、流入口を通じて空気を吸引するためのポンプ；およびハウジングの流入口側に装着されるキャニスタを含む組織拡張装置が提供される。また、キャニスタは、吸入口を形成し弾性材質で形成された吸入部材、吸入部材が装着される下部ケース、吐出口を有し、下部ケースに装着されて所定の流動空間を形成する上部ケース、前記流動空間に配置され、流動空間を複数個の流動空間に区画するように設けられたパーテーション部材、およびパーテーション部材および上部ケースの間に配置されるフィルタを含む。この時、流動空間内の流路は空気が吸入口の中心軸方向と平行に流動するように設けられた複数個の第１区間および隣接する２つの第１区間を連結し、空気が吸入口の中心軸を基準として半径方向に流動するように設けられた第２区間を含む。
【発明の効果】
【００３９】
以上で詳察した通り、本発明の一実施例と関連した組織拡張用ドーム、キャニスタ、吸引器、およびこれを含む組織拡張装置は次のような効果を有する。
【００４０】
ドームの接触領域に身体特性に適合な形状因子を多様に付与することによって、ドームを身体組織（例えば、胸）に安定的に密着させることができ、これに伴い、ドームの内部に効果的に陰圧を発生させることができる。
【００４１】
また、吸引器がドームに着脱可能に装着される構造を有することによって、着用者の使用便宜性を向上させることができ、ドームに吸引器が装着されることによって陰圧ソース（ｓｏｕｒｃｅ）と陰圧発生空間の物理的距離を短縮させることができる。
【００４２】
また、ドームの内部に流入する空気の流量に基づいて胸の体積の変化を測定することができる。また、胸の体積を測定するための装置は吸引器と別途に構成され得、このような装置は必要に応じて吸引器に着脱可能に装着され得る。
【００４３】
また、作動時に吸引器内のキャニスタに湿気が発生することを防止することができる。
【図面の簡単な説明】
【００４４】
【図１】本発明の一実施例と関連した組織拡張装置を示す概略図。
【図２】本発明の一実施例と関連した組織拡張装置を示す斜視図。
【図３】本発明の一実施例と関連した組織拡張用ドームを示す平面図。
【図４】本発明の一実施例と関連した組織拡張用ドームを構成するエアチューブを示す図面。
【図５】本発明の一実施例と関連した組織拡張用ドームを構成するエアチューブを示す図面。
【図６】エアチューブの一部の領域を切開した状態の斜視図。
【図７】図６の部分拡大図。
【図８】本発明の一実施例と関連した組織拡張装置を示す分離斜視図。
【図９】本発明の一実施例と関連した吸引器を示す斜視図。
【図１０】本発明の一実施例と関連した吸引器の一作動状態を示すための構成図。
【図１１】本発明の一実施例と関連した吸引器の一作動状態を示すための構成図。
【図１２】本発明の一実施例と関連した吸引器の分離斜視図。
【図１３】図１２の吸引器の一部の構成要素を示す斜視図。
【図１４】図１２の吸引器の一部の構成要素を示す斜視図。
【図１５】エア分配部材およびポンプの一作動状態を説明するための図面。
【図１６】図１２の吸引器の一部の構成要素を示す斜視図。
【図１７】本発明の一実施例と関連した吸引器の斜視図。
【図１８】本発明の一実施例と関連した吸引器の一作動状態を説明するための陰圧グラフ。
【図１９】体積測定装置を説明するための構成図。
【図２０】体積測定装置を説明するための構成図。
【図２１】体積測定装置を説明するための構成図。
【図２２】体積測定装置を説明するための構成図。
【図２３】体積測定装置を説明するための構成図。
【図２４】組織拡張装置のさらに他の実施例を示す概略図。
【図２５】本発明の一実施例と関連した吸引器を構成するキャニスタの分離斜視図。
【図２６】本発明の一実施例と関連した吸引器を構成するキャニスタの分離斜視図。
【図２７】図２５の各構成要素が結合された状態の断面図。
【発明を実施するための形態】
【００４５】
以下、本発明の一実施例に係る組織拡張用ドーム、キャニスタ、吸引器、およびこれを含む組織拡張装置を添付された図面を参照して詳細に説明する。
【００４６】
また、図面符号に関係なく同一または対応する構成要素は同一または類似する参照番号を付与し、これに対する重複説明は省略することにし、説明の便宜のために図示された各構成部材の大きさおよび形状は誇張または縮小され得る。
【００４７】
図１は、本発明の一実施例と関連した組織拡張装置１０を示す概略図である。
【００４８】
本発明の一実施例と関連した組織拡張装置１０は、着用者の身体の一部の領域を収容する組織拡張用ドーム（１００：１００−１、１００−２）およびドーム１００の内部空間（収容部）（１１３、図１９参照）に陰圧を発生させるための吸引器３００を含む。また、ドーム１００の内部空間と吸引器３００は連結チューブ２００を通じて連結され得る。前記ドーム１００は着用者の胸の左／右一対で備えられ得、本発明で、右側胸用ドーム１００−１と左側胸用ドーム１００−２は左右対称となる形状を有することができる。以下では、右側胸用ドーム１００−１を例にして、組織拡張用ドーム１００を説明する。また、図１で、符号Ｉは胸の内側領域を示し、符号Ｏは胸の外側領域を示す。
【００４９】
本文書において、着用者の身体組織または身体の一部の領域という用語は、組織の拡張が要求される任意の身体部分を意味するものと理解され得、例えば、着用者の身体組織は着用者の胸であり得る。
【００５０】
前記ドーム１００は着用者の身体の一部の領域、例えば、胸を囲むキャップ１１０および着用者の身体領域に密着するように前記キャップ１１０の縁に設けられた接触部を含む。
【００５１】
前記キャップ１１０は身体領域に向かって開放された形状を有し得、例えば、半球状を有し得る。前記キャップ１１０は身体に接触した状態で最大高さに位置する頂点１１１を有する。
【００５２】
図２は本発明の一実施例と関連した組織拡張装置を示す斜視図であり、図３は本発明の一実施例と関連した組織拡張用ドーム１００−１を示す平面図であり、図４および図５は本発明の一実施例と関連した組織拡張用ドーム１００−１を構成するエアチューブ１２０を示す図面である。
【００５３】
また、図６はエアチューブ１２０の一部の領域を切開した状態の斜視図であり、図７は図６の部分拡大図である。
【００５４】
図２を参照すると、前記組織拡張用ドーム１００−１は着用者の身体の一部の領域を覆う収容部１１３および収容部１１３と流体移動可能に連結された吸引ポート（１１２、図８参照）を有するキャップ１１０を含む。前記キャップ１１０は多様な樹脂材質で形成され得、例えば、ポリカーボネート（ＰＣ）樹脂およびポリエチレン（ＰＥ）樹脂のうち少なくとも一つ以上で形成され得る。
【００５５】
また、前記ドーム１００−１は着用者の身体に接触するように、キャップ１１０の縁に沿って設けられ、内部に空気が充填可能なエアチューブ１２０を含む。
【００５６】
本実施例で、ドーム１００−１の接触部はエアチューブ１２０である。エアチューブは陰圧緩衝効果を有することができ、ドームの密着度を向上させる効果を有する。前記エアチューブ１２０は多様な材質で形成され得、例えば、ポリ塩化ビニル（ＰＶＣ）樹脂、およびポリウレタン（ＰＵ）樹脂のうち少なくとも一つ以上で形成され得る。
【００５７】
前記エアチューブ１２０は、キャップ１１０の頂点１１１を基準として、キャップの縁に沿って少なくとも一部の領域で直径（Ｄ）が変わる。
【００５８】
また、エアチューブ１２０は、キャップ１１０の頂点１１１を基準として、キャップ１１０の縁の上部領域に位置する第１領域１２１、右側領域に位置する第２領域１２２、下部領域に位置する第３領域１２３および左側領域に位置する第４領域１２４を含むことができる。図１および図３を参照すると、第２領域１２２は胸の内側領域（中央の胸の谷間領域）に密着し、第４領域は胸の外側領域に密着する。
【００５９】
この時、第２領域および第４領域は、キャップ１１０の頂点１１１を基準として左右方向に沿って非対称の形状を有する。非対称の形状は胸周辺の身体組織の特性を考慮したものであって、陰圧提供時、胸に対する密着度を向上させることができ、胸の全領域にかけて均一な陰圧が加えられるように構成されたものである。
【００６０】
また、エアチューブ１２０は第２領域１２２と頂点１１１間の間隔および第４領域１２４と頂点１１１間の間隔が互いに異なるように設けられ得る。この時、第２領域１２２および第４領域１２４のうち頂点１１１と距離が遠い領域は所定の曲率を有するように曲がり得る。
【００６１】
例えば、右側胸用ドーム１００−１の場合には第２領域１２２が頂点１１１と距離が近い領域であり、第４領域１２４が頂点１１１と距離が遠い領域であり得る。この時、第４領域１２４は所定の曲率を有するように曲がり得る。すなわち、胸の外側（Ｏ）に位置する第４領域１２４が胸の内側（Ｉ）に位置する第２領域１２２より頂点からより遠くてもよく、所定の曲率を有するように曲がり得る。
【００６２】
図４を参照すると、第２領域１２２および第４領域１２４のうち頂点１１１と距離が近い領域（右側胸用ドームである場合、第２領域１２２）は少なくとも一部が直線形に形成され得る。第２領域１２２が直線形に形成される場合、着用時にドーム１００−１の第２領域１２２の位置を中央の胸の谷間に容易に整列させることができる。
【００６３】
図３および図４を参照すると、第２領域１２２および第４領域１２４のうち頂点１１１と距離が遠い領域（右側胸用ドームである場合、第４領域１２４）の直径は、頂点１１１と距離が近い領域（右側胸用ドームである場合、第２領域１２２）の直径より１．５〜２．５倍大きく形成され得る。
【００６４】
図３を参照すると、第２領域１２２および第４領域１２４のうち頂点１１１と距離が遠い領域（右側胸用ドームである場合、第４領域１２４）の厚さは、頂点１１１と距離が近い領域（右側胸用ドームである場合、第２領域１２２）の厚さ（ｔ１＞ｔ２）より１．５〜２．５倍大きく形成され得る。
【００６５】
また、図４を参照すると、第２領域１２２および第４領域１２４のうち頂点１１１と距離が遠い領域（右側胸用ドームである場合、第４領域１２４）の幅は、頂点１１１と距離が近い領域（右側胸用ドームである場合、第２領域１２２）の幅（ｗ１＞ｗ２）より１．５〜２．５倍大きく形成され得る。
【００６６】
図５を参照すると、第２領域１２２および第４領域１２４のうち頂点１１１と距離が遠い領域（右側胸用ドームである場合、第４領域１２４）は頂点と距離が近い領域（右側胸用ドームである場合、第２領域１２２）より着用者の身体側に突出する。
【００６７】
また、第１領域１２１および第３領域１２３は互いに異なる曲率を有するようにそれぞれ曲がり、第１領域１２１の曲率は第３領域１２３の曲率より大きくてもよい。このような曲率差を通じての設計により、着用者の上胸の曲率と下胸の曲率差に対応することができる。
【００６８】
また、第２領域１２２および第４領域１２４のうち頂点１１１と距離が遠い領域（右側胸用ドームである場合、第４領域１２４）の曲率は第１領域の曲率より大きくてもよい。
【００６９】
図６および図７を参照すると、エアチューブ１２０は空気が注入される空間部１２７および空間部１２７を規定する膨張可能な膜１２６を含むことができる。
【００７０】
この時、エアチューブ１２０はキャップ１１０の頂点１１１を基準として、キャップ１１０の縁に沿って少なくとも一部の領域で空間部１２７の直径および膜１２６の厚さ（ｔ）のうち少なくとも一つが変わり得る。
【００７１】
このように、空間部１２７の直径および膜１２６の厚さ（ｔ）のうち少なくとも一つが変わることによって、図３〜図５を通じて説明した通り、エアチューブの直径（Ｄ）が変わり得る。
【００７２】
例えば、第２領域１２２および第４領域１２４のうち頂点１１１と距離が遠い領域（右側胸用ドームである場合、第４領域１２４）は頂点１１１と距離が近い領域（右側胸用ドームである場合、第２領域１２２）より注入空間部の直径および膜厚が大きくてもよい。
【００７３】
これとは異なり、エアチューブ１２０の直径（Ｄ）は空間部１２７の直径が同じ状態で膜１２６の厚さにより変わってもよい。
【００７４】
また、エアチューブ１２０は空気の注入により膨張するように設けられ、内部に注入された空気量は最大空気収容量の６０〜８０％であり得る。最大空気収容量より少ない量の空気を注入させることによって、密着度および陰圧緩衝効果を向上させることができる。
【００７５】
また、密着度を向上させるために、膜１２６の表面には凹凸形状などの接触面積を増加させるための陽刻または陰刻のパターンが形成され得る。
【００７６】
また、密着度を向上させるために、膜１２６の表面には生体適合性が優秀であり、所定の粘着力を有する粘着層がさらに形成されてもよい。
【００７７】
図８は、本発明の一実施例と関連した組織拡張装置を示す分離斜視図である。
【００７８】
前記組織拡張装置は組織拡張用ドーム１００およびドーム１００の内部に陰圧を発生させるための吸引器３００を含む。
【００７９】
前述した通り、組織拡張用ドーム１００は、着用者の身体の一部の領域を覆う収容部１１３および収容部１１３と流体移動可能に連結され、吸引器３００と連結される吸引ポート１１２を有するキャップ１１０および着用者の身体に接触するようにキャップ１１０の縁に沿って設けられ、内部に空気が充填可能なエアチューブ１２０を含むことができる。また、エアチューブ１２０はキャップ１１０の頂点１１１を基準として、キャップ１１０の縁に沿って少なくとも一部の領域で直径が変わり得る。
【００８０】
一方、キャップ１１０は吸引器３００が着脱可能に装着されるための装着部１３０を有することができる。例えば、装着部１３０はリング状の装着リブ１３１であり得る。この時、前述した吸引ポート１１２は装着部１３０内に位置するように設けられ得る。
【００８１】
キャップ１１０と吸引器３００は磁石を通じての磁力で結合されてもよい。このために、キャップ１１０の装着部１３０および吸引器３００には一つ以上の磁石がそれぞれ設けられてもよい。
【００８２】
また、装着部はキャップの内側に少なくとも一部が陥没してもよい。このような構造により、吸引器３００はキャップ１１０の内側に一部が陥没した状態となってキャップ１１０の外部に突出する領域が減少し得るため、組織拡張装置の全体の体積を減少させることができる。
【００８３】
図９は本発明の一実施例と関連した吸引器３００を示す斜視図であり、図１０および図１１は本発明の一実施例と関連した吸引器の一作動状態を示すための構成図である。
【００８４】
また、図１２は本発明の一実施例と関連した吸引器３００の分離斜視図であり、図１３および図１４はそれぞれ図１２の吸引器の一部の構成要素を示す斜視図である。
【００８５】
また、図１５はエア分配部材およびポンプの一作動状態を説明するための図面であり、図１６は図１２の吸引器の一部の構成要素を示す斜視図であり、図１７は本発明の一実施例と関連した吸引器の斜視図である。
【００８６】
本発明の一実施例と関連した吸引器３００は流入口３０２および排出口３０３を有するハウジング３０１を含む。前記流入口３０２は前述したキャップ１１０の吸引ポート１１２と流体移動可能に連結される。このような構造で、キャップ１１０の内部空気は吸引ポート１１２を通じて流入口３０２を経て吸引器３００の内部に吸引される。一方、流入口３０２側にはキャニスタ５００が配置され得、空気の流動過程で、ハウジング３０１の流入口３０２はキャニスタ５００の流入口を意味してもよい。
【００８７】
また、吸引器３００はハウジング３０１内に配置され、流入口３０２を通じて流入する空気を吸引するためのポンプ４１０を含む。
【００８８】
また、前記吸引器３００は流入口３０２およびポンプ４１０の流入ポート４１１を連結する第１流動ライン７０１およびポンプ４１０の排出ポート４１２および外部の大気を連結する第２流動ライン７０２を含む。この時、第２流動ライン７０２は外部に開放されることによってポンプ４１０の排出ポート４１２および外部の大気を連結する。
【００８９】
また、吸引器３００はハウジング３０１内に配置され、第１流動ラインと連結された第１ポート４３１および第２流動ラインと連結された第２ポート４３２を有する調節バルブ４３０を含む。前記調節バルブ４３０は内部に第１ポート４３１および第２ポート４３２を連結する流路を有し、前記流路を開放または閉鎖するように設けられる。
【００９０】
一方、未説明符号７０３は第１流動ライン７０１と調節バルブ４３０の第１ポート４３１を連結する第３流動ラインを示し、未説明符号７０４は第２流動ライン７０２と調節バルブ４３０の第２ポート４３２を連結する第４流動ラインを示す。
【００９１】
また、吸引器３００はハウジング３０１内に配置され、ポンプ４１０に電源を供給するためのバッテリー４９５を含み、前記吸引器３００はポンプ４１０および調節バルブ４３０をそれぞれ制御するための制御部４９０（本文書では、「第１制御部」ともいう）を含む。
【００９２】
図１５を参照すると、吸引器３００はポンプ４１０に装着されるエア分配部材４２０をさらに含むことができる。前記エア分配部材４２０は第１流動ライン７０１の少なくとも一部を形成し、ポンプ４１０の流入ポート４１１と連結される流入流路４２１および第２流動ライン７０２の少なくとも一部を形成し、ポンプ４１０の排出ポート４１２と連結される流出流路４２２を有する。
【００９３】
この時、調節バルブ４３０は第１ポート４３１が流入流路４２１と連結され、第２ポート４３２が流出流路４２２と連結されるようにエア分配部材４２０に装着される。一方、エア分配部材４２０および調節バルブ４３０はゴムのような弾性材質の防塵マウント４５０を媒介に結合される。例えば、符号４６０のような結束部材を通じて調節バルブ４２０はエア分配部材４２０に装着され得る。
【００９４】
図１０および図１５を参照すると、ポンプ４１０が作動し、調節バルブ４３０が閉鎖されると、流入口３０２を通じてエア分配部材４２１の流入流路に沿って空気がポンプ４１０側に吸引され、流出流路４２２に沿って空気が外部に排出される。このような場合、ドーム１００の内部１１３には陰圧が発生する。具体的には、吸引器３００が陰圧モードで動作する場合、制御部４９０によりポンプ４１０が作動し、調節バルブ４３０が閉鎖され、ドーム１００の内部１１３空気が吸引器３００の内部に吸引されることにより、ドームの内部には陰圧が発生する。
【００９５】
一方、図１１および図１５を参照すると、ポンプ４１０が停止し、調節バルブ４３０が開放されると、外部の空気がハウジングの排出口３０３に流入し、流出ライン４２２に沿って調節バルブ４３０の第２ポート４３２に流入し、第１ポート４３１を通過した後流入流路４２１に沿って流入口側に移動可能となる。このような場合、ドーム１００の内部１１３に外部の空気が流入することにより、ドーム１００の内部の陰圧が流入した空気量に基づいて解除される。
【００９６】
前記のように、制御部４９０はポンプ４１０の動作および調節バルブ４３０のオン／オフを制御することによって、ドームの内部の陰圧を調節することができる。
【００９７】
図１８は、本発明の一実施例と関連した吸引器の一作動状態を説明するための陰圧グラフである。例えば、図１８に図示された通り、制御部は設定された２つの陰圧の間で、ドームの内部の陰圧を連続的に変化させるサイクルモードを遂行することができる。
【００９８】
図１５を参照すると、エア分配部材４２０の流入流路４２１には流動ホール４２４が設けられ、前記流動ホール４２４にはポンプ４１０の流入ポート４１１側に向かう方向の流動のみを許容するためのチェックバルブが設けられ得る。
【００９９】
具体的には、前記チェックバルブはポンプ４１０が作動すると、流動ホール４２４を開放して流入流路４２１をポンプの流入ポート４１１側に開放させ、ポンプ４１０が作動しないと、流動ホール４２４を密閉して流入流路４２１を閉鎖するように作動する。
【０１００】
一実施例として、チェックバルブは、流動ホール４２４に挿入されたシャフト４２３、シャフト４２３に装着され、流動ホール４２４に接触するシーリング部材４２５およびポンプ４１０が作動してシャフト４２３がポンプ４１０側に移動すると圧縮されるように設けられた弾性部材（４２６、例えばスプリング）を含むことができる。ここで、ポンプが作動して流入流路４２１に流入する空気の圧力によってシャフト４２３がポンプ４１０側に移動すると、シーリング部材４２５は流動ホール４２４から離脱し、これによって流動ホール４２４が開放される。
【０１０１】
また、前記吸引器３００は前記エア分配部材の流出流路４２２とハウジング３０１の排出口３０３を連結し、第２流動ライン７０２の少なくとも一部を形成する排出配管４７０をさらに含む。
【０１０２】
また、前記吸引器３００は前記ポンプ４１０を囲むように装着される防塵部材４４０をさらに含むことができる。
【０１０３】
また、前記吸引器３００はハウジング３０１内に配置され、流入口３０２とエア分配部材４２０の流入流路４２１を連結する流動路を有し、流入口３０２と連結されたドーム１００の内部１１３の陰圧を測定する陰圧感知部４８０（本文書において、「圧力センサ」ともいう）をさらに含むことができる。一例として、前記圧力センサ４８０はドームの内部の空気量を測定することによって、ドームの内部の陰圧を測定するように設けられ得る。
【０１０４】
前記ハウジング３０１は、ポンプ、エア分配部材、調節バルブ、排出配管、陰圧感知部４８０、バッテリー４９５、および制御部（４９０、回路基板）が配置されるメインケース３１０を含む。メインケース３１０は下部面にキャニスタ５００が装着され、上部面が開放された構造を有する。
【０１０５】
また、ハウジング３１０はメインケース３１０の開放領域を覆う上部ケース３２０を含む。また、上部ケース３２０に装着される透明デコケース３３０をさらに含むことができる。
【０１０６】
また、ハウジング３１０はメインケース３１０の側面に装着される複数個のサイドパネル３４０、３４０’を含む。
【０１０７】
また、制御部４９０は後述した体積測定装置と電気的に連結されるための接続端子およびバッテリーを充電するための充電端子を含む。この時、接続端子および充電端子をそれぞれハウジング３０１の外部に露出させるために、メインケース３１０は第１ホール３１１および第２ホール３１２を有する。また、メインケース３１０はハウジング３０１の排出口３０３を遂行する第３ホール３１３を有する。
【０１０８】
また、第１〜第３ホール３１１、３１２、３１３を囲むようにメインケース３１０に装着されるサイドパネル４３０は、第１〜第３ホール３１１、３１２、３１３をそれぞれ外部に露出させるための第１〜第３露出ホール３４１、３４２、３４３を有する。
【０１０９】
また、前記サイドパネル３４０には第１〜第３露出ホール３４１、３４２、３４３を囲むように、カバー部材３４５が分離可能に装着され得る。ただし、カバー部材３４５は少なくとも一部の領域がハウジング３０１の排出口３０３を遂行する第３ホール３１３に対応する第３露出ホール３４３を外部に開放させることができるように、例えば、メッシュ（ｍｅｓｈ）領域で設けられ得る。
【０１１０】
一方、メインケース３１０には吸引器３００をオン（Ｏｎ）／オフ（Ｏｆｆ）するための電源スイッチ３６０が装着され、電源スイッチ３６０は装着ブラケット３６１を媒介にしてメインケース３１０に装着され得る。メインケース３１０には電源ボタン３６０と制御部を電気的に連結するように開放された第４ホール３１４および装着ブラケット３６１が固定される第５ホール３１５が設けられる。
【０１１１】
また、本実施例で、組織拡張装置は、組織拡張用ドーム１００およびドーム１００に分離可能に装着される吸引器３００を含む。
【０１１２】
また、ドーム１００は前述した通り、着用者の身体の一部の領域を覆う収容部１１３、収容部と流体移動可能に連結された吸引ポート１１２、および吸引ポート１１２を囲む装着部１３０を有するキャップ１１０および着用者の身体に接触するようにキャップ１１０の縁に沿って設けられた接触部を含む。
【０１１３】
一方、キャップ１１０の装着部１３０側および吸引器３００のハウジング３０１内には一つ以上の磁石３５０がそれぞれ配置され得る。
【０１１４】
図１９〜図２３は体積測定装置を説明するための構成図であり、図２４は組織拡張装置のさらに他の実施例を示す概略図である。
【０１１５】
本実施例によると、前述した構造の吸引器およびこれを含む組織拡張装置を通じて胸の体積を測定することができる。
【０１１６】
本発明の一実施例と関連した胸の体積測定方法は、胸に着用される組織拡張用ドーム１００およびドーム１００の内部に陰圧を発生させるためのポンプ４１０を具備した吸引器３００を含む組織拡張装置１０を利用した胸の体積測定方法に関する。
【０１１７】
前記胸の体積測定方法は、ドーム１００の内部１１３が第１設定圧力であるとき、ポンプ４１０の動作を停止させ、ドーム１００の内部１１３が第１設定圧力とは異なる第２設定圧力に到達するまでドーム１００の内部１１３に外部の空気を流入させる第１段階を含む。第１設定圧力は、陰圧の大きさが例えば、−４０ｍｍＨｇ〜−５０ｍｍＨｇであり得る。
【０１１８】
第１段階は図１１を通じて説明した通り、ポンプ４１０および調節バルブ４３０をそれぞれ制御して遂行することができる。具体的には、ポンプ４１０を停止させ、調節バルブ４３０を開放させることによって、外部の空気をドームの内部に流入させて第１設定圧力の陰圧を一定量解除することができる。
【０１１９】
また、胸の体積測定方法は、ドームの内部が第２設定圧力に到達するまでドーム１００の内部１１３に流入した空気の流量に基づいて胸の体積を算出する第２段階を含むことができる。第２設定圧力は、陰圧の大きさが例えば、−１０ｍｍＨｇであり得る。すなわち、第１設定圧力の陰圧の大きさは第１設定圧力の陰圧の大きさより大きくてもよい。
【０１２０】
図２０を参照すると、第２段階は、ドームの内部に外部の空気を流入させる過程で流入流路６３０上の互いに異なる２つの地点６３１、６３５での差圧を測定する段階、前記差圧から流速を決定する段階、流速を時間に対して積分することによって流量を算出する段階および流量を時間に対して積分してドームの内部に流入した空気の体積を算出する段階を含むことができる。
【０１２１】
整理すれば、ドームの内部が第１設定圧力の陰圧で維持されている状態で、ポンプの駆動を停止させ、調節バルブ４３０を開放してドームの内部圧力が第２設定圧力の陰圧に到達するまで外部の空気をドームの内部に流入し、外部の空気がドームの内部に流入する間測定された流量を利用して体積を計算することができる。
【０１２２】
図２０のようなベンチュリ管構造で、外部の空気が流入する方向に沿って順に流路断面積が大きい第１地点（例えば、符号６３１）と第２地点（例えば、符号６３５）の差圧を測定することができる。
【０１２３】
連続方程式とベルヌーイ方程式を適用すれば下記の［一般式１］と［一般式２］の通りである。
【０１２４】
［一般式１］
【数１】
2021510561.tif 000003
【０１２５】
［一般式２］
【数２】
2021510561.tif 000004
【０１２６】
一般式１と２で、Ｑは流量、Ｐ１は第１地点での圧力、Ｐ２は第２地点での圧力、ｖ１は第１地点での流速、ｖ２は第２地点での流速、Ａ１は第１位置での断面積、Ａ２は第２位置での断面積を示す。
【０１２７】
［一般式１］と［一般式２］を流量（Ｑ）に関する式で整理すれば下記の［一般式３］の通りである。
【０１２８】
［一般式３］
【数３】
2021510561.tif 000005
【０１２９】
［一般式３］で計算した流量値にベンチュリ管の流量係数（Ｃ）をかけると下記の［一般式４］の通りである。
【０１３０】
［一般式４］
【数４】
2021510561.tif 000006
【０１３１】
一般式４で、Ｃｖｅｎｔｕｒｉはベンチュリ管流量係数、Ｄｎａｒｒｏｗは第１地点の直径、Ｄｗｉｄｅは第２地点の直径を示す。
【０１３２】
また、流量の和を利用して体積を計算することができる。
【０１３３】
前記式で、計算された流量総和（Ｑｔ）とドームの圧力変化を利用して、体積（Ｖｏｌ）を計算することができる。
【０１３４】
［一般式５］
【数５】
2021510561.tif 000007
【０１３５】
［一般式６］
【数６】
2021510561.tif 000008
【０１３６】
一般式６で、Ｐｄｏｍｅ１は第１設定圧力、Ｐｄｏｍｅ２は第２設定圧力を示す。
【０１３７】
例えば、差圧の累積和（差分）を利用して体積を計算する式は、実際に測定されたデータに基づいて下記の［一般式７］のような数学モデルで構成して使うことができる。
【０１３８】
［一般式７］
Ｖ＝Ｐ＊（−０．１９０８６）−５２２．８１
【０１３９】
一般式７で、Ｐは５０ｍｓの時間単位で測定された差圧の累積和（Ｐａ）から単位を省略した数字部分のみを示し、Ｖは等号を基準として右側の数式により計算された結果値を示し、一般式７は前記結果値（Ｖ）に体積単位ｃｃを付すれば体積に換算できるように構成されている。
【０１４０】
また、互いに異なる２つの地点６３１、６３５は流入ライン６３０で空気の流動断面積が互いに異なり得る。
【０１４１】
また、互いに異なる２つの地点には圧力センサＰ１、Ｐ２がそれぞれ設けられ得る。
【０１４２】
また、差圧から流速を決定する段階は、流速センサを利用してあらかじめ生成された差圧−流速テーブルに基づいて決定され得る。
【０１４３】
また、第１設定圧力はその陰圧の大きさが第２設定圧力より大きくてもよく、第２設定圧力は０ではないことが好ましい。
【０１４４】
また、胸の体積測定方法は、第１段階および第２段階を複数回遂行する段階および１回次で算出されたドームの内部に流入した第１空気の体積と２回次で算出されたドームの内部に流入した第２空気の体積に基づいて胸の体積の変化を測定する段階を含むことができる。
【０１４５】
すなわち、着用者の使用状態により、１日次（１回次）に第１段階と第２段階を遂行して第１空気の体積として測定し、２日次（２回次）に第１段階と第２段階を再び遂行して第２空気の体積として測定した後、第２空気の体積と第１空気の体積を比較することによって、胸の体積の変化を測定することができる。
【０１４６】
この時、胸の体積測定方法は、２回次で測定された第２空気の体積が１回次で測定された第１空気の体積より小さい場合、胸の体積が増加したものと判定する段階を含むことができる。
【０１４７】
また、第１段階は、図１０で説明した通り、着用者の胸にドームが着用された状態で、第１設定圧力までドームの内部の陰圧を発生（調節バルブは閉鎖された状態）させ、ドームの内部が第１設定圧力に到達すればポンプの作動を停止させる段階を含むことができる。
【０１４８】
整理すれば、胸の体積測定方法は、ドームの内部が第１設定圧力であるとき、ポンプの動作を停止させ、ドームの内部に外部の空気を流入させながら、ドームの内部が第１設定圧力とは異なる第２設定圧力に到達するまで流入した空気の流量を算出してドームの内部に流入する空気の体積を算出する第１段階および第１段階を二回以上繰り返し遂行し、それぞれの回次別空気の体積の差に基づいて胸の体積の変化を測定する段階を含むことができる。
【０１４９】
一方、前記のような胸の体積測定方法は、前述した吸引器３００の第２流動ライン７０２上で差圧の測定が可能であるようにして、制御部で胸の体積を測定するように構成されてもよい。例えば、第２流動ラインのうち排出配管４７０上で、差圧が測定されるように構成されてもよい。このような場合であれば、排出配管４７０の互いに異なる２つの地点６３１、６３５は空気の流動断面積が互いに異なり得、互いに異なる２つの地点には圧力センサＰ１、Ｐ２がそれぞれ設けられ得る。
【０１５０】
具体的には、胸の体積測定機能を有する組織拡張装置は、組織拡張用ドーム１００および前記ドーム１００の内部に陰圧を発生させるための吸引器３００を含む。
【０１５１】
前述した通り、吸引器３００は、ドームの内部に陰圧を発生させるためのポンプ４１０、ドームの内部およびポンプの流入ポートを連結する第１流動ライン７０１、ポンプの排出ポートおよび外部の大気を連結する第２流動ライン７０２、第１流動ラインと連結された第１ポートと第２流動ラインと連結された第２ポートを有する調節バルブ４３０、外部の空気が調節バルブ４３０に流入するライン６３０上の互いに異なる２つの地点に配置された第１圧力センサＰ１と第２圧力センサＰ２、およびポンプおよび調節バルブを制御するための制御部４９０を含む。
【０１５２】
図１０でのように、ポンプ４１０が作動し、調節バルブ４３０が閉鎖されると、ドームの内部は第１設定圧力に到達し、図１１でのように、ポンプ４１０が停止し、調節バルブ４３０が開放されると、ドーム１００の内部に外部の空気が流入し、ドームの内部は第１設定圧力より低い第２設定圧力に到達する。
【０１５３】
また、制御部４９０は胸の体積の変化を測定するための胸の体積測定モードを遂行するように設けられる。
【０１５４】
ここで、制御部４９０は、胸の体積測定モードで、ドームの内部が第１設定圧力であるとき、ポンプの動作を停止させ、調節バルブを開放してドームの内部に外部の空気を流入させながら、ドームの内部が第１設定圧力とは異なる第２設定圧力に到達するまで流入した空気の流量を算出することによって、ドームの内部に流入する空気の体積を算出し、前記空気の体積が複数回算出されると、それぞれの回次別空気の体積の差に基づいて胸の体積の変化を測定するように設けられ得る。
【０１５５】
制御部４９０は、第１圧力センサＰ１と第２圧力センサＰ２を通じて差圧を測定し、差圧から流速を決定し、流速を時間に対して積分することによって流量を算出し、流量を時間に対して積分して空気の体積を算出するように設けられ得る。
【０１５６】
また、前述した通り、互いに異なる２つの地点は流動ラインで空気の流動断面積が互いに異なる地点であり得る。
【０１５７】
図２４を参照すると、制御部４９０は、胸の体積変化情報を外部端末機２０で伝送するように設けられ得る。具体的には、吸引器３００は外部端末機２０と無線通信（例えば、Ｗｉ−Ｆｉ、ブルートゥース（登録商標）など）可能であるように設けられ得る。前記端末機２０はスマートフォン、ノートパソコンまたはコンピュータなどを含むことができる。
【０１５８】
これとは異なり、図２１〜図２３に図示された通り、差圧を測定できる体積測定装置６００を別途に構成し、体積測定装置６００が吸引器３００の排出口３０３に分離可能に連結されるように構成されてもよい。
【０１５９】
本発明の一実施例によると、ドームの内部に陰圧を発生させる吸引器３００を含む組織拡張装置１０に装着される体積測定装置６００として、前記体積測定装置６００は、外部の空気が流入する流入口６１０および吸引器３００に外部の空気を供給させるための排出口６２０を有するハウジング６０１を含む。
【０１６０】
また、ハウジング６０１は排出口が吸引器３００と流体移動可能に連結されるように前記吸引器３００に分離可能に装着され得る。
【０１６１】
具体的には、前記ハウジング６０１は排出口６２０が前述したサイドパネル３４０の第３露出ホール３４３と連結されるように、前記吸引器３００のサイドパネル３４０に装着され得る。
【０１６２】
このような構造で、体積測定装置６００の流入口６１０に流入した外部の空気は、吸引器３００の排出口３０３を通じて排出配管４７０に移動され得る。
【０１６３】
また、前記体積測定装置６００はハウジング６０１内で、流入口６１０と排出口６２０を連結する流動ライン６３０、流動ライン６３０のうち互いに異なる２つの地点６３１、６３５に設けられた第１および第２圧力センサＰ１、Ｐ２；および第１および第２圧力センサＰ１、Ｐ２から測定された圧力情報を吸引器３００に出力するための制御部６６０（本文書において、「第２制御部」ともいう）を含むことができる。ここで、前記圧力情報は第１および第２圧力センサＰ１、Ｐ２からそれぞれ測定された互いに異なる２つの地点の差圧を含むことができる。
【０１６４】
また、互いに異なる２つの地点は流動ライン６３０で空気の流動断面積が互いに異なる地点であり得る。
【０１６５】
また、体積測定装置６００は圧力センサに電源を供給するための電源ポート６４０をさらに含むことができる。この時、電源ポート６４０は吸引器３００に連結されるように設けられ得、具体的には、吸引器３００の接続端子に連結されるように設けられ得る。
【０１６６】
また、制御部６６０で算出された差圧データを吸引器３００に出力するためのデータポート６７０をさらに含むことができ、データポート６７０は吸引器３００に連結されるように設けられ得る。
【０１６７】
例えば、電源ポート６４０およびデータポート６７０は単一の出力端子６８０で構成され得、前記出力端子６８０はケーブルを通じてハウジング６０１の外部に引き出された状態であり得る。前記出力端子６８０は前述した吸引器の接続端子に接続されるように設けられる。
【０１６８】
すなわち、前記体積測定装置６００は胸の体積測定モードの遂行のために、必要に応じて吸引器３００に装着可能であるため、吸引器３００の小型化およびスリム化を可能とする。
【０１６９】
また、体積測定装置６００は吸引器３００から電源が供給され、単に差圧のみを測定し、測定された差圧データを吸引器３００に伝達して胸の体積測定が吸引器３００で遂行されるようにすることによって、胸の体積装置６００はコンパクトに製造され得る。
【０１７０】
また、本発明のさらに他の実施例に係る組織拡張装置１０は、着用者の身体組織に着用されるドーム１００、前記ドーム１００の内部に陰圧を発生させるための吸引器３００および吸引器３００に装着され、ドームの内部に収容された身体組織（例えば、胸）の体積を測定するための体積測定装置６００を含む。
【０１７１】
以下、吸引器３００と体積測定装置６００の機能が分離された構造について具体的に説明する。
【０１７２】
吸引器３００は、ドームの内部に陰圧を発生させるためのポンプ、ドームの内部およびポンプの流入ポートを連結する第１流動ライン、ポンプの排出ポートおよび外部の大気を連結する第２流動ライン、第１流動ラインと連結された第１ポートと第２流動ラインと連結された第２ポートを有する調節バルブ、およびポンプおよび調節バルブをそれぞれ制御するための第１制御部を含む。
【０１７３】
また、体積測定装置は、外部の空気が流入する流入口、吸引器の第２流動ラインに外部の空気を供給するための排出口、流入口と排出口を有するハウジング、ハウジング内で、流入口と排出口を連結する流動ライン、流動ラインのうち互いに異なる２つの地点に設けられた第１および第２圧力センサおよび第１および第２圧力センサから測定された差圧を吸引器に出力するための第２制御部を含む。
【０１７４】
この時、ポンプが作動し、調節バルブが閉鎖されると、ドームの内部は第１設定圧力に到達し、ポンプが停止し、調節バルブが開放されると、体積測定装置を通じてドームの内部に外部の空気が流入し、ドームの内部は第１設定圧力より低い第２設定圧力に到達する。
【０１７５】
また、第１制御部４９０は胸の体積の変化を測定するための胸の体積測定モードを遂行するように設けられ、体積測定装置が吸引器に装着されると、第１制御部は胸の体積測定モードで、ドームの内部が第１設定圧力であるとき、ポンプの動作を停止させ、ドームの内部に外部の空気を流入させながら、ドームの内部が第１設定圧力とは異なる第２設定圧力に到達するまで体積測定装置を通じて流入した空気の流量を算出してドームの内部に流入した空気の体積を算出し、前記空気の体積が複数回算出されると、それぞれの回次別空気の体積の差に基づいて胸の体積の変化を測定するように設けられる。
【０１７６】
また、第１制御部４９０は第２制御部６６０から伝送された差圧から流速を決定し、流速を時間に対して積分することによって流量を算出し、流量を時間に対して積分して空気の体積を算出するように設けられる。また、流速は、あらかじめ保存された差圧−流速テーブルに基づいて決定され得る。
【０１７７】
また、前述した通り、互いに異なる２つの地点は排出ラインで空気の流動断面積が互いに異なる地点であり得る。
【０１７８】
また、前述した通り、体積測定装置６００は吸引器３００のバッテリー４９５に電気的に接続可能な出力端子６８０を含むことができる。
【０１７９】
図２５および図２６は本発明の一実施例と関連した吸引器を構成するキャニスタ５００の分離斜視図であり、図２７は図２５の各構成要素が結合された状態の断面図である。
【０１８０】
本実施例で、組織拡張装置は、着用者の身体組織を収容するドームおよびドームに装着され、ドームの内部に陰圧を発生させるための吸引器を含む。
【０１８１】
この時、吸引器３００はドームの内部と連結される流入口３０２および排出口３０３を有するハウジング３０１、ハウジング３０１内に配置されて流入口を通じてドームの内部空気を吸引するためのポンプ４１０およびハウジング３０１の流入口３０２側に装着されるキャニスタ６００を含む。
【０１８２】
前記キャニスタ６００はドームの内部と連結される吸入口、流入口と連結される吐出口および吸入口と吐出口を連結する流路Ｆを有する。
【０１８３】
図２７を参照すると、流路Ｆは空気が吸入口の中心軸方向と平行に流動するように設けられた複数個の第１区間および隣接する２つの第１区間を連結し、空気が吸入口の中心軸を基準として半径方向に流動するように設けられた第２区間を含む。
【０１８４】
また、第２区間は空気が吸入口の中心軸を基準として所定の回転方向に流動するように設けられ得る。
【０１８５】
また、キャニスタの吸入口と吐出口は同軸上に位置するように設けられ得る。
【０１８６】
具体的には、キャニスタ６００は、吸入口を形成し弾性材質で形成された吸入部材５１０、吸入部材５１０が装着される下部ケース５２０を含む。前記キャニスタ６００は吐出口を有し、下部ケース５２０に装着されて所定の流動空間を形成する上部ケース５５０、および前記流動空間に配置され、流動空間を複数個の第１区間および第２区間に区画するように設けられたパーテーション部材５３０を含む。また、前記キャニスタ６００はパーテーション部材５３０および上部ケース５５０の間に配置されるフィルタ５４０を含む。
【０１８７】
図１を通じて説明した通り、連結チューブを通じてドームと吸引器が遠く離れた構造とは異なり、ドームに吸引器が着脱式で装着されると、ドームの内部と吸引器を連結する流路が短くなり、これに伴い、湿気が発生し得る。
【０１８８】
しかし、本実施例に係るキャニスタ６００でのように、流路Ｆを形成すれば、湿気を防止することができる。
【０１８９】
具体的には、下部ケース５２０は上部ケース５３０と向き合う第１面に、リング状で互いに異なる直径を有し、同心で配列された複数個の第１流動ガイド５２１を有することができる。また、パーテーション部材５３０は下部ケースと向き合う第１面に、隣接する２つの第１流動ガイド５２１の間に位置する第２流動ガイド５３１を有することができる。
【０１９０】
ここで第１流動ガイドはパーテーション部材と接触しない高さを有し、第２流動ガイドは下部ケースと接触しない高さを有することができる。
【０１９１】
このような構造で、第１流動ガイド５２１と第２流動ガイド５３１の間の空間は第１区間を形成し、第２流動ガイド５３１と下部ケース５２０の第１面の間の空間は第２区間を形成することができる。
【０１９２】
また、パーテーション部材５３０は第１面の反対方向の第２面にフィルタを支持する複数個のスペーサー５３２、５３３が設けられ得る。複数個のスペーサー５３２、５３３は半経方向および円周方向に沿ってそれぞれ所定の間隔で離れて配列され得る。
【０１９３】
パーテーション部材５３０の第２面とフィルタ５４０の間の空間は上部ケース５５０の吐出口と連結される。
【０１９４】
また、水分吸収のために、前記流動空間には高吸収性樹脂粒子（ＳＡＰ）が配置され得る。
【０１９５】
また、キャニスタ６００は上部ケース５５０の吐出口側に装着され、吸引器３００のハウジング３０１の流入口側に接触するシーリングキャップ５６０を含むことができる。
【０１９６】
この時、吸引器３００のメインケース３１０の底面にはリング状の流入ガイド３１６が設けられ、上部ケース５５０の吐出口は流入ガイド３１６内に配置され、シーリングキャップ５６０は流入ガイド３１６の内周面に密着する。
【０１９７】
また、上部ケース５５０の吐出口は陰圧感知部３８０の流動路と流体移動可能に連結される。
【０１９８】
前述された本発明の好ましい実施例は例示の目的のために開示されたものであって、本発明に対する通常の知識を有する当業者であれば、本発明の思想と範囲内で多様な修正、変更、付加が可能であり、このような修正、変更および付加も下記の特許請求の範囲に属するものと見なされるべきである。
【産業上の利用可能性】
【０１９９】
本発明の一実施例と関連した組織拡張用ドーム、キャニスタ、吸引器、およびこれを含む組織拡張装置は次のような利用可能性を有する。
【０２００】
吸引器がドームに着脱可能に装着される構造を有することによって、着用者の使用便宜性を向上させることができ、ドームに吸引器が装着されることによって陰圧ソース（ｓｏｕｒｃｅ）と陰圧発生空間の物理的距離を短縮させることができる。
【０２０１】
また、作動時に吸引器内のキャニスタに湿気が発生することを防止することができる。
【図１】
2021510561.tif 000009
【図２】
2021510561.tif 000010
【図３】
2021510561.tif 000011
【図４】
2021510561.tif 000012
【図５】
2021510561.tif 000013
【図６】
2021510561.tif 000014
【図７】
2021510561.tif 000015
【図８】
2021510561.tif 000016
【図９】
2021510561.tif 000017
【図１０】
2021510561.tif 000018
【図１１】
2021510561.tif 000019
【図１２】
2021510561.tif 000020
【図１３】
2021510561.tif 000021
【図１４】
2021510561.tif 000022
【図１５】
2021510561.tif 000023
【図１６】
2021510561.tif 000024
【図１７】
2021510561.tif 000025
【図１８】
2021510561.tif 000026
【図１９】
2021510561.tif 000027
【図２０】
2021510561.tif 000028
【図２１】
2021510561.tif 000029
【図２２】
2021510561.tif 000030
【図２３】
2021510561.tif 000031
【図２４】
2021510561.tif 000032
【図２５】
2021510561.tif 000033
【図２６】
2021510561.tif 000034
【図２７】
2021510561.tif 000035
【手続補正書】
【提出日】令和2年6月30日(2020.6.30)
【手続補正１】
【補正対象書類名】図面
【補正対象項目名】全図
【補正方法】変更
【補正の内容】
【図１】
2021510561.tif 000036
【図２】
2021510561.tif 000037
【図３】
2021510561.tif 000038
【図４】
2021510561.tif 000039
【図５】
2021510561.tif 000040
【図６】
2021510561.tif 000041
【図７】
2021510561.tif 000042
【図８】
2021510561.tif 000043
【図９】
2021510561.tif 000044
【図１０】
2021510561.tif 000045
【図１１】
2021510561.tif 000046
【図１２】
2021510561.tif 000047
【図１３】
2021510561.tif 000048
【図１４】
2021510561.tif 000049
【図１５】
2021510561.tif 000050
【図１６】
2021510561.tif 000051
【図１７】
2021510561.tif 000052
【図１８】
2021510561.tif 000053
【図１９】
2021510561.tif 000054
【図２０】
2021510561.tif 000055
【図２１】
2021510561.tif 000056
【図２２】
2021510561.tif 000057
【図２３】
2021510561.tif 000058
【図２４】
2021510561.tif 000059
【図２５】
2021510561.tif 000060
【図２６】
2021510561.tif 000061
【図２７】
2021510561.tif 000062
【国際調査報告】
2021510561.tif 000063
2021510561.tif 000064
2021510561.tif 000065
2021510561.tif 000066